(57)【特許請求の範囲】
【請求項１】
所定面積を有する金属ベースと、前記金属ベースの上面から上方へ離間して縦方向へ延びる第１鉄筋と、前記金属ベースと前記第１鉄筋との間で上下方向へ波状に曲折を繰り返しながら縦方向へ延びる一対の第２鉄筋とを備え、それら第２鉄筋が、前記第１鉄筋に対向する上部と、前記金属ベースに対向する下部と、前記上下部の間に延びる中間部とを有するデッキプレートにおいて、
前記デッキプレートでは、前記金属ベースの上面から上方へ突出して縦方向へ延びる一対の第１突条が前記第１鉄筋の横方向両側に位置するように前記金属ベースに形成され、前記第２鉄筋の上部が前記第１鉄筋に溶接され、前記第２鉄筋の下部のうちの前記第１突条と交差する部分が該第１突条の上に乗せられた後、第１突条が延びる金属ベースの下面に電極を配置するとともに第２鉄筋の上方に電極を配置し、それら電極で金属ベースと第２鉄筋の下部とを挟み、電極に高電圧を印加して第１突条と第２鉄筋の交差する部分とを加熱溶融することで、前記第１突条がその上端から金属ベースの上面に向かって溶けて該第１突条の上端から下方へ凹む第１凹部が形成され、前記交差する部分が前記第１凹部に嵌入しつつ前記金属ベースの上面から上方へ離間した状態で該第１凹部に溶着されていることを特徴とするデッキプレート。
【請求項２】
前記デッキプレートでは、前記第２鉄筋の下部が前記金属ベースの上面と並行するように横方向外方へ屈曲して前記第１突条と二点で交差し、前記第２鉄筋の下部のうちの前記第１突条と交差するそれら部分が該第１突条の上に乗せられた後、第１突条が延びる金属ベースの下面に電極を配置するとともに第２鉄筋の上方に電極を配置し、それら電極で金属ベースと第２鉄筋の下部とを挟み、電極に高電圧を印加して第１突条と第２鉄筋の交差するそれら部分とを加熱溶融することで、前記第１突条がその上端から金属ベースの上面に向かって溶けて該第１突条の上端から下方へ凹む第１凹部が形成され、前記交差するそれら部分が前記第１凹部に嵌入しつつ前記金属ベースの上面から上方へ離間した状態で該第１凹部に溶着されている請求項１記載のデッキプレート。
【請求項３】
前記第２鉄筋が、その上部から下部に向かうにつれて横方向外方へ末広がりとなり、横方向へ離間対向して縦方向へ延びる一対の第３鉄筋が、それら第２鉄筋の中間部に配置され、前記第２鉄筋の中間部のうちの前記第３鉄筋と交差する部分が、該第３鉄筋に溶接されている請求項１または請求項２に記載のデッキプレート。
【請求項４】
前記デッキプレートでは、前記金属ベースの上面から上方へ突出して縦方向へ延びる一対の第２突条が前記第１突条の横方向内方と横方向外方とのいずれか一方に位置するように前記金属ベースに形成され、前記金属ベースの上面と並行するように横方向外方へ屈曲する前記第２鉄筋の下部が前記第２突条と二点で交差し、前記第２鉄筋の下部のうちの前記第２突条と交差するそれら部分が該第２突条の上に乗せられた後、第２突条が延びる金属ベースの下面に電極を配置するとともに第２鉄筋の上方に電極を配置し、それら電極で金属ベースと第２鉄筋の下部とを挟み、電極に高電圧を印加して第２突条と第２鉄筋の交差するそれら部分とを加熱溶融することで、前記第２突条がその上端から金属ベースの上面に向かって溶けて該第２突条の上端から下方へ凹む第２凹部が形成され、前記交差するそれら部分が前記第２凹部に嵌入しつつ前記金属ベースの上面から上方へ離間した状態で該第２凹部に溶着されている請求項２または請求項３に記載のデッキプレート。
【発明の詳細な説明】
【技術分野】
【０００１】
本発明は、鉄骨建造物や鉄筋コンクリート建造物のスラブを構築するためのデッキプレートに関する。
【背景技術】
【０００２】
横梁の間に架け渡し、コンクリートを打設してスラブを構築するデッキプレートは公知である。デッキプレートの一例としては、所定面積を有する金属ベースと、金属ベースの上面から上方へ離間して縦方向へ延びる第１鉄筋と、金属ベースと第１鉄筋との間で上下方向へ波状に曲折を繰り返しながら縦方向へ延びる一対の第２鉄筋と、第１鉄筋の下方に配置されて横方向へ離間対向して縦方向へ延びる一対の第３鉄筋とを備えたものがある。このようなデッキプレートでは、それら第２鉄筋の上端部が第１鉄筋の両側に当接した状態で第１鉄筋にスポット溶接され、第２鉄筋の中間部のうちの第３鉄筋と交差する部分が第３鉄筋にスポット溶接されている。さらに、第２鉄筋の下端部が金属ベースの上面に当接した状態で金属ベースにスポット溶接されている。金属ベースや第１〜第３鉄筋は、通常、鉄から作られる。金属ベースの上下面には、メッキ処理が施されている。
【０００３】
第２鉄筋の下端部を金属ベースに溶接すると、溶接時の熱の作用で、金属ベースの上面のみならず、下面にも溶接による痕が生じてしまう。金属ベースの下面に生じた溶接痕は、デッキプレートの美観を損なうどころか、防食のために施されたメッキを消失させて鉄を露出させるから、湿気や結露によって溶接痕に錆が発生する場合がある。これらを解決するために、金属ベースの下面にさらに金属ベースを重ね合わせ、それら金属ベースどうしをプレス加工することで溶接痕を隠蔽したデッキプレートがある（特許文献１参照）。
【特許文献１】特開２００４−１２４５１８号公報
【発明の開示】
【発明が解決しようとする課題】
【０００４】
前記公報に開示のデッキプレートは、溶接痕を隠蔽するために、金属ベースの下面にさらに金属ベースを重ね合わせ、それら金属ベースどうしをプレス加工して圧着しなければならず、手間を要することはもちろん、そのための金属ベース材料を別個に用意しなければならない。
【０００５】
本発明の目的は、金属ベースの下面に溶接跡が生じることはなく、別個に材料を用いて溶接痕を隠蔽する必要がないデッキプレートを提供することにある。
【課題を解決するための手段】
【０００６】
前記課題を解決するための本発明の前提は、所定面積を有する金属ベースと、金属ベースの上面から上方へ離間して縦方向へ延びる第１鉄筋と、金属ベースと第１鉄筋との間で上下方向へ波状に曲折を繰り返しながら縦方向へ延びる一対の第２鉄筋とを備え、それら第２鉄筋が、第１鉄筋に対向する上部と、金属ベースに対向する下部と、上下部の間に延びる中間部とを有するデッキプレートである。
【０００７】
前記前提における本発明の特徴として、デッキプレートでは、金属ベースの上面から上方へ突出して縦方向へ延びる一対の第１突条が第１鉄筋の横方向両側に位置するように金属ベースに形成され、第２鉄筋の上部が第１鉄筋に溶接され、第２鉄筋の下部のうちの第１突条と交差する部分が第１突条の上に乗せられた後、第１突条が延びる金属ベースの下面に電極を配置するとともに第２鉄筋の上方に電極を配置し、それら電極で金属ベースと第２鉄筋の下部とを挟み、電極に高電圧を印加して第１突条と第２鉄筋の交差する部分とを加熱溶融することで、第１突条がその上端から金属ベースの上面に向かって溶けて第１突条の上端から下方へ凹む第１凹部が形成され、交差する部分が第１凹部に嵌入しつつ金属ベースの上面から上方へ離間した状態で第１凹部に溶着されていることにある。
【０００８】
本発明の他の一例として、デッキプレートでは、第２鉄筋の下部が金属ベースの上面と並行するように横方向外方へ屈曲して第１突条と二点で交差し、第２鉄筋の下部のうちの第１突条と交差するそれら部分が第１突条の上に乗せられた後、第１突条が延びる金属ベースの下面に電極を配置するとともに第２鉄筋の上方に電極を配置し、それら電極で金属ベースと第２鉄筋の下部とを挟み、電極に高電圧を印加して第１突条と第２鉄筋の交差するそれら部分とを加熱溶融することで、第１突条がその上端から金属ベースの上面に向かって溶けて第１突条の上端から下方へ凹む第１凹部が形成され、交差するそれら部分が第１凹部に嵌入しつつ金属ベースの上面から上方へ離間した状態で第１凹部に溶着されている。
【０００９】
本発明の他の一例としては、第２鉄筋がその上部から下部に向かうにつれて横方向外方へ末広がりとなり、横方向へ離間対向して縦方向へ延びる一対の第３鉄筋がそれら第２鉄筋の中間部に配置され、第２鉄筋の中間部のうちの第３鉄筋と交差する部分が該第３鉄筋に溶接されている。
【００１０】
本発明の他の一例として、デッキプレートでは、金属ベースの上面から上方へ突出して縦方向へ延びる一対の第２突条が第１突条の横方向内方と横方向外方とのいずれか一方に位置するように金属ベースに形成され、金属ベースの上面と並行するように横方向外方へ屈曲する第２鉄筋の下部が第２突条と二点で交差し、第２鉄筋の下部のうちの第２突条と交差するそれら部分が第２突条の上に乗せられた後、第２突条が延びる金属ベースの下面に電極を配置するとともに第２鉄筋の上方に電極を配置し、それら電極で金属ベースと第２鉄筋の下部とを挟み、電極に高電圧を印加して第２突条と第２鉄筋の交差するそれら部分とを加熱溶融することで、第２突条がその上端から金属ベースの上面に向かって溶けて第２突条の上端から下方へ凹む第２凹部が形成され、交差するそれら部分が第２凹部に嵌入しつつ金属ベースの上面から上方へ離間した状態で第２凹部に溶着されている。
【発明の効果】
【００１１】
本発明に係るデッキプレートによれば、電極に高電圧を印加して第１突条と第２鉄筋の交差する部分とを加熱溶融することで、第１突条がその上端から金属ベースの上面に向かって溶けて第１突条の上端から下方へ凹む第１凹部が形成され、交差する部分が第１凹部に嵌入しつつ金属ベースの上面から上方へ離間した状態で第１凹部に溶着されているから、金属ベースに形成された第１凹部と第２鉄筋の下部との溶接箇所が金属ベースの上面よりも上方となり、金属ベースの上面のみならず、金属ベースの下面に溶接による跡が生じることはない。デッキプレートは、金属ベースの下面に溶接痕が生じることはないから、その美観が損なわれることがないのみならず、溶接痕を隠蔽するために金属ベースの下面に別個に金属ベースを重ね合わせる必要はなく、溶接跡を消失させるための補修を金属ベースの下面に施す必要もない。デッキプレートは、第２鉄筋の下部が第１凹部に嵌入した状態で第１凹部と第２鉄筋とが溶接されているから、第２鉄筋の下部が第１突条に単に当接した状態で第１突条と第２鉄筋とが溶接されている場合と比較し、金属ベースと第２鉄筋との固定強度が大きく、デッキプレートにコンクリートを打設した際の衝撃が金属ベースや第２鉄筋に伝わったとしても、金属ベースと第２鉄筋とが外れることはなく、第１鉄筋や第２鉄筋の張力補強機能によって鉄筋コンクリートの強度を確実に維持することができる。このデッキプレートは、第１突条が金属ベースの縦方向の可撓性を抑制するから、デッキプレートにコンクリートを打設したときの金属ベースの縦方向の撓みや歪みを防ぐことができる。
【００１２】
横方向外方へ屈曲する第２鉄筋の下部が第１突条と二点で交差し、電極に高電圧を印加して第１突条と第２鉄筋の交差するそれら部分とを加熱溶融することで、第１突条がその上端から金属ベースの上面に向かって溶けて第１突条の上端から下方へ凹む第１凹部が形成され、交差するそれら部分が第１凹部に嵌入しつつ金属ベースの上面から上方へ離間した状態で第１凹部に溶着されたデッキプレートは、第２鉄筋の下部のうちの第１突条と二箇所で交差するそれら部分が第１凹部に溶接されているから、第２鉄筋の下部が第１突条の第１凹部に一箇所で溶接される場合と比較し、金属ベースと第２鉄筋の下部との固定強度を一層増加させることができる。このデッキプレートは、第１突条と二箇所で交差するそれら部分が金属ベースの上面から上方へ離間した状態で第１凹部に溶接され、第１凹部と第２鉄筋の下部との溶接箇所が金属ベースの上面よりも上方となるから、金属ベースの上面と下面とに溶接による跡が生じることはない。
【００１３】
第２鉄筋がその上部から下部に向かうにつれて横方向外方へ末広がりとなり、横方向へ離間対向して縦方向へ延びる一対の第３鉄筋が第２鉄筋の中間部に配置され、第２鉄筋の中間部のうちの第３鉄筋と交差する部分が該第３鉄筋に溶接されたデッキプレートは、第１鉄筋の他に第２鉄筋の中間部に第３鉄筋を取り付けることで、第２鉄筋の剛性を増加させることができるとともに、第１〜第３鉄筋の張力補強機能によって鉄筋コンクリートの強度を増加させることができる。
【００１４】
横方向外方へ屈曲する第２鉄筋の下部が第２突条と二点で交差し、電極に高電圧を印加して第２突条と第２鉄筋の交差するそれら部分とを加熱溶融することで、第２突条がその上端から金属ベースの上面に向かって溶けて第２突条の上端から下方へ凹む第２凹部が形成され、交差するそれら部分が第２凹部に嵌入しつつ金属ベースの上面から上方へ離間した状態で第２凹部に溶着されたデッキプレートは、第２鉄筋の下部のうちの第１突条と二箇所で交差するそれら部分が第１凹部に嵌入しつつ溶接され、さらに、第２鉄筋の下部のうちの第２突条と二箇所で交差するそれら部分が第２凹部に嵌入しつつ溶接されているから、金属ベースと第２鉄筋の下部との固定強度をより一層増加させることができる。このデッキプレートは、第１および第２凹部と第２鉄筋の下部との溶接箇所が金属ベースの上面よりも上方となり、金属ベースの上面のみならず、金属ベースの下面に溶接による跡が生じることはない。このデッキプレートは、第１突条のみならず第２突条が金属ベースの縦方向の可撓性を抑制するから、デッキプレートにコンクリートを打設したときの金属ベースの縦方向の撓みや歪みを確実に防ぐことができる。
【発明を実施するための最良の形態】
【００１５】
添付の図面を参照し、本発明に係るデッキプレートの詳細を説明すると、以下のとおりである。図１は、一例として示すデッキプレート１０の斜視図である。図２，３は、デッキプレート１０の正面図と、デッキプレート１０の上面図とであり、図４，５は、デッキプレート１０の部分破断側面図と、第２鉄筋１４の下部の一部を破断して示す図４の拡大図とである。図１〜４では、縦方向を矢印Ａ（図２を除く）、横方向を矢印Ｂで示し（図４を除く）、上下方向を矢印Ｃで示す（図３を除く）。このデッキプレート１０は、所定面積を有する縦長の金属ベース１１と、金属ベース１１上に位置して横方向へ並ぶ縦長の２組の鉄筋ユニット１２とから形成されている。各鉄筋ユニット１２は、１本の第１鉄筋１３と、２本の第２鉄筋１４と、２本の第３鉄筋１５とから組み立てられている。
【００１６】
金属ベース１１は、縦方向へ延びる両側部１６および横方向へ延びる両端部１７を有し、略フラットな上面１８および下面１９を有する。金属ベース１１は、鉄板から作られ、その上下面１８，１９にメッキ処理が施されている。なお、金属ベース１１の面積に特に限定はなく、構築するスラブの大きさによってその面積を自由に設定することができる。また、金属ベース１１を鉄以外の金属で作ることもできる。金属ベース１１の両側部１６には、図１，２に示すように、ベース１１の上面１８から上方へ折れ曲がる第１係合部２０と、ベース１１の下面１９から下方へ折れ曲がる第２係合部２１とが形成されている。第１係合部２０に第２係合部２１を引っ掛けることで、複数のデッキプレート１０を互いに連結して横方向へ並べることができる。
【００１７】
金属ベース１１には、その上面１８から上方へ突出する複数条の突条２２（第１突条）が形成されている。突条２２は、第１鉄筋１３の横方向両側に位置し、金属ベース１１上を縦方向へ延びている。それら鉄筋ユニット１２毎では、横方向に並ぶそれぞれ２条の突条２２が形成されている。突条２２は、金属ベース１１の一部分を横方向内方へ折り曲げて、ベース１１の一部分をその上面１８から上方へ向かって山折りし、山折りした部分においてベース１１の下面１９どうしを隙間なく圧接することで作られている。
【００１８】
突条２２は、上下方向へ所定の高さ寸法Ｌを有し、図４，５に示すように、その側面形状が帯状を呈するとともに、図３に示しように、上方から見た形状が略線状を呈する。突条２２の上下方向の高さ寸法Ｌに特に限定はないが、高さ寸法Ｌの好ましい範囲は５〜５０ｍｍである。突条２２には、その上端２３から金属ベース１１の上面１８に向かって凹む凹部２４（第１凹部）が形成されている。凹部２４は、金属ベース１１の上面１８に達することなく、ベース１１の上面１８から上方へ所定寸法離間している。ゆえに、金属ベース１１の上面１８と凹部２５との間には突条２２の一部分が延びている。
【００１９】
第１鉄筋１３は、金属ベース１１の上面１８から上方へ所定寸法離間して縦方向へ直状に延びている。第１鉄筋１３は、金属ベース１１の両端部１７間に配置されている。第３鉄筋１５は、金属ベース１１の上面１８から上方へ所定寸法離間して縦方向へ直状に延びている。それら第３鉄筋１５は、第１鉄筋１３の下方かつ鉄筋１３の横方向両側に位置するように、金属ベース１１と第１鉄筋１３との間であって金属ベース１１の両端部１７間に配置されている。
【００２０】
第２鉄筋１４は、金属ベース１１と第１鉄筋１３との間に位置して上下方向へ波状に曲折（起伏）を繰り返している。それら第２鉄筋１４は、第１鉄筋１３を挟んで横方向へ対称型に配置されている。第２鉄筋１４は、上部２５および下部２７と、上下部２５，２７の間に延びる中間部２６とを有する。第２鉄筋１４は、図２に示すように、上部２５から下部２７に向かって横方向へ末広がりを呈するように金属ベース１１に対して所定角度で傾斜している。上部２５は、図４に示すように、上方へ向かって弧を画き、第１鉄筋１３の横方向両側に当接した状態で、第１鉄筋１３にスポット溶接されている。下部２７は、図３に示すように、金属ベース１１の上面１８と並行するように、横方向外方へ折り曲げられ、横方向外方へ向かって弧を画いている。下部２７は、突条２２から横方向外方へ突出し、突条２２と二点で交差している。下部２７のうちの突条２２と交差する部分２８は、突条２２に形成された凹部２４に嵌入しつつ、金属ベース１１の上面１８から上方へ所定寸法離間した状態で凹部２４にスポット溶接されている。それら第２鉄筋１４の中間部２６には第３鉄筋１５が当接し、第２鉄筋１４の中間部２６のうちの第３鉄筋１５と交差する部分２９が第３鉄筋１５にスポット溶接されている。
【００２１】
スポット溶接では、図示はしていないが、第１〜第３鉄筋１３，１４，１５を電極で挟み、電極に高電圧を印加して鉄筋１３，１４，１５どうしを加熱溶融した後、それら鉄筋１３，１４，１５を自然冷却し、鉄筋１３，１４，１５どうしを溶接箇所において互いに溶着させる。また、第２鉄筋１４の下部２７のうちの突条２２に交差する部分２８と凹部２４とを溶接するには、部分２８を突条２２の上に乗せた後、突条２２が延びる金属ベース１１の下面１９に電極を配置するとともに、第２鉄筋１４の上方に電極を配置する。次に、それら電極で金属ベース１１と第２鉄筋１４の下部２７とを挟み、電極に高電圧を印加して金属ベース１１に形成された突条２２と第２鉄筋１４の部分２８とを加熱溶融した後、金属ベース１１と第２鉄筋１４とを自然冷却し、第２鉄筋１４の部分２８と凹部２４とを溶接箇所において互いに溶着させる。ここで、突条２２を電極で加熱すると、突条２２がその上端２３から金属ベース１１の上面１８に向かって溶け、突条２２に凹部２４が形成されるとともに、凹部２４と部分２８とが互いに溶着する。
【００２２】
鉄筋ユニット１２では、第１〜第３鉄筋１３，１４，１５の太さについて特に限定はなく、構築するスラブの大きさやスラブに必要な強度に合わせてそれら鉄筋１３，１４，１５の太さを自由に設定することができる。第１〜第３鉄筋１３，１４，１５に用いられる金属は鉄が好ましいが、鉄以外の金属を使用することもできる。また、それら鉄筋１３，１４，１５に鉄を用いる場合は鉄筋１３，１４，１５にメッキ等の防食処理が施されていてもよい。単位長さ（ｍ）当たりの第２鉄筋１４の曲折を繰り返す回数や金属ベース１１に対する傾斜角度について特に限定はなく、曲折回数や傾斜角度を自由に設定することができる。
【００２３】
このデッキプレート１０は、スラブを構築するために使用され、たとえば、鉄筋ユニット１２を上にした状態で横梁にその両端部１７を乗せ、横梁の間に架け渡した後、金属ベース１１上にコンクリートを打設する。デッキプレート１０は、打設されたコンクリートの重量に十分に耐えることができるから、金属ベース１１の下面を支える支持部材は必要なく、支持部材の組み立てやコンクリート打設後の支持部材の解体が不要となる。また、デッキプレート１０は、それら鉄筋ユニット１２の張力補強機能によって鉄筋コンクリートの強度を増加させることができる。デッキプレート１０は、突条２２が金属ベース１１の縦方向の可撓性を抑制するから、デッキプレート１０にコンクリートを打設したときの縦方向の撓みや歪みを防ぐことができる。
【００２４】
このデッキプレート１０は、横方向外方へ屈曲する第２鉄筋１４の下部２７が突条２２と二点で交差し、第２鉄筋１４の下部２７のうちの突条２２と交差する部分２８が凹部２４に嵌入しつつ、それら部分２８が金属ベース１１の上面１８から上方へ離間した状態で凹部２４に溶接されているから、第２鉄筋１４の下部２７と凹部２４との溶接箇所が金属ベース１１の上面１８よりも上方となり、金属ベース１１の上面１８のみならず、ベース１１の下面１９に溶接による跡が生じることはない。デッキプレート１０は、金属ベース１１の下面１９に溶接痕が生じることはないから、その美観が損なわれることがないのみならず、溶接痕を隠蔽するために金属ベース１１の下面に別個に金属ベースを重ね合わせる必要はなく、溶接跡を消失させるための補修を金属ベース１１の下面１９に施す必要もない。
【００２５】
デッキプレート１０は、第２鉄筋１４の下部２７が凹部２５に嵌入した状態で凹部２４と第２鉄筋１４とが溶接されているから、第２鉄筋１４の下部２７が突条２２に単に当接した状態で第２鉄筋１４と突条２２とが溶接されている場合と比較し、溶接箇所における固定強度が大きく、デッキプレート１０にコンクリートを打設した際の衝撃が金属ベース１１や第２鉄筋１４に伝わったとしても、ベース１１と第２鉄筋１４とが外れることはなく、第１〜第３鉄筋１３，１４，１５の張力補強機能によって鉄筋コンクリートの強度を確実に維持することができる。
【００２６】
図６，７は、他の一例として示すデッキプレート３０の斜視図と、デッキプレート３０の正面図とであり、図８，９は、デッキプレート３０の上面図と、第２鉄筋１４の下部２７の一部と突条２２，３１の一部とを破断して示す図５と同様の拡大図とである。図６〜８では、縦方向を矢印Ａ（図７を除く）、横方向を矢印Ｂで示し、上下方向を矢印Ｃで示す（図８を除く）。このデッキプレート３０が図１のそれと異なるのは金属ベース１１に第１突条２２のみならず第２突条３１が形成されている点であり、その他の構成は図１のデッキプレート１０と同一であるから、図１と同一の符号を付すことでその他の構成の説明は省略する。
【００２７】
金属ベース１１には、その上面１８から上方へ突出する複数条の第１突条２２と複数条の第２突条３１とが形成されている。第１突条２２は、第１鉄筋１２の横方向両側に位置し、金属ベース１１上を縦方向へ延びている。第２突条３１は、第１鉄筋１２の横方向両側かつ第１突条２２の横方向外方に位置し、金属ベース１１上を縦方向へ延びている。なお、第２突条３１は、第１突条２２の横方向内方に形成されていてもよい。それら鉄筋ユニット１２毎では、横方向に並ぶ２条の第１突条２２と２条の第２突条３１とが形成されている。それら突条２２，３１は、金属ベース１１の一部分を横方向内方へ折り曲げて、ベース１１の一部分をその上面１８から上方へ向かって山折りし、山折りした部分においてベース１１の下面１９どうしを隙間なく圧接することで作られている。
【００２８】
それら突条２２，３１は、上下方向へ所定の寸法を有し、図９に示すように、その側面形状が帯状を呈するとともに、図８に示しように、上方から見た形状が略線状を呈する。突条２２，３１の上下方向の高さ寸法Ｌは、５〜５０ｍｍの範囲にあることが好ましい。第１突条２２にはその上端２３から金属ベース１１の上面１８に向かって凹む第１凹部２４が形成され、第２突条３１にはその上端３２から金属ベース１１の上面１８に向かって凹む第２凹部３３が形成されている。第１および第２凹部２４，３３は、金属ベース１１の上面１８に達することなく、ベース１１の上面１８から上方へ所定寸法離間している。ゆえに、金属ベース１１の上面１８とそれら凹部２４，３３との間には突条２２，３１の一部分が延びている。
【００２９】
第２鉄筋１４の下部２７は、それら突条２２，３１から横方向外方へ突出し、それら突条２２，３１と二点で交差している。第２鉄筋１４の下部２７のうちの第１突条２２と交差する部分２８は、突条２２に形成された第１凹部２４に嵌入しつつ、金属ベース１１の上面１８から上方へ離間した状態で凹部２４にスポット溶接されている。第２鉄筋１４の下部２７のうちの第２突条３１と交差する部分３４は、突条３１に形成された第２凹部３３に嵌入しつつ、金属ベース１１の上面１８から上方へ離間した状態で凹部３３にスポット溶接されている。第２鉄筋１４の下部２７のうちの第２突条３１に交差する部分３４と第２凹部３３とを溶接する手順は、第１凹部２４と部分２８とを溶接するそれと同一である。
【００３０】
このデッキプレート３０は、横方向外方へ屈曲する第２鉄筋１４の下部２７のうちの第１突条２２と二箇所で交差する部分２８が第１凹部２４に嵌入しつつ溶接され、さらに、横方向外方へ屈曲する第２鉄筋１４の下部２７のうちの第２突条３１と二箇所で交差する部分３４が第２凹部３３に嵌入しつつ溶接されているから、金属ベース１１と第２鉄筋１４の下部２７との溶接箇所における固定強度をより一層増加させることができる。デッキプレート３０は、第１および第２凹部２２，３３と第２鉄筋１４の下部２７との溶接箇所が金属ベース１１の上面１８よりも上方となり、ベース１１の上面１８のみならず、ベース１１の下面１９に溶接による跡が生じることはない。デッキプレート３０は、第１突条２２のみならず第２突条３３が金属ベース１１の縦方向の可撓性を抑制するから、デッキプレート３０にコンクリートを打設したときの縦方向の撓みや歪みを確実に防ぐことができる。
【００３１】
それら図示のデッキプレート１０，３０では、各鉄筋１３，１４，１５から形成された２組の鉄筋ユニット１２が金属ベース１１上に並んでいるが、鉄筋ユニット１２の個数を２組に限定するものではなく、金属ベース１１上に３組以上の鉄筋ユニット１２が形成されていてもよい。
【図面の簡単な説明】
【００３２】
【図１】一例として示すデッキプレートの斜視図。
【図２】図１のデッキプレートの部分破断側面図。
【図３】図１のデッキプレートの上面図。
【図４】図１のデッキプレートの側面図。
【図５】第２鉄筋１４の下部の一部を破断して示す図４の拡大図。
【図６】他の一例として示すデッキプレートの斜視図。
【図７】デッキプレートの正面図。
【図８】デッキプレートの上面図。
【図９】第２鉄筋の下部の一部と突条の一部とを破断して示す図５と同様の拡大図。
【符号の説明】
【００３３】
１０    デッキプレート
１１    金属ベース
１２    鉄筋ユニット
１３    第１鉄筋
１４    第２鉄筋
１５    第３鉄筋
１８    上面
１９    下面
２２    突条（第１突条）
２３    上端
２４    凹部（第１凹部）
２５    上部
２６    中間部
２７    下部
２８    部分
２９    部分
３０    デッキプレート
３１    第２突条
３２    上端
３３    第２凹部
３４    部分
【図１】
0004813153.tif 000002
【図２】
0004813153.tif 000003
【図３】
0004813153.tif 000004
【図４】
0004813153.tif 000005
【図５】
0004813153.tif 000006
【図６】
0004813153.tif 000007
【図７】
0004813153.tif 000008
【図８】
0004813153.tif 000009
【図９】
0004813153.tif 000010